(57)【特許請求の範囲】
【請求項１】
家具本体（２）及び折り畳み蓋（３）を備えた家具製品（１）において、
前記折り畳み蓋（３）は、上下に配置された少なくとも３枚の蓋片部（３ａ，３ｂ，３ｃ）を有しており、
第１の蓋片部（３ａ）は前記家具本体（２）に対して旋回可能に取り付けられ、
第２の蓋片部（３ｂ）は前記第１の蓋片部（３ａ）に対して旋回可能に取り付けられ、
第３の蓋片部（３ｃ）は前記第２の蓋片部（３ｂ）に対して旋回可能に取り付けられており、
完全開放状態において、前記第１の蓋片部（３ａ）の前面はほぼ水平に配置され、前記第２の蓋片部（３ｂ）の前面は、前記第１の蓋片部（３ａ）の前面に対して鈍角（α）をなし、前記第３の蓋片部（３ｃ）の前面は、前記第２の蓋片部（３ｂ）の前面に対して鋭角（β）をなす、ことを特徴とする家具製品。
【請求項２】
前記少なくとも３枚の蓋片部（３ａ，３ｂ，３ｃ）の前面は、閉じ状態において、一平面となるように配置される、ことを特徴とする請求項１に記載の家具製品。
【請求項３】
前記鈍角（α）は、１２５°〜１４５°の角度（α）である、ことを特徴とする請求項１又は２に記載の家具製品。
【請求項４】
前記鋭角（β）は、６０°〜７５°の角度（β）である、ことを特徴とする請求項１〜３のいずれか一項に記載の家具製品。
【請求項５】
前記第１の蓋片部（３ａ）は、完全開放状態において、前記家具本体（２）のほぼ上に配置される、ことを特徴とする請求項１〜４のいずれか一項に記載の家具製品。
【請求項６】
前記折り畳み蓋（３）の幅（ｄ）は１メートルよりも大きい、ことを特徴とする請求項１〜５のいずれか一項に記載の家具製品。
【請求項７】
前記少なくとも３枚の蓋片部（３ａ，３ｂ，３ｃ）の高さ（ａ，ｂ，ｃ）は、０．２５メートルよりも大きい、ことを特徴とする請求項１〜６のいずれか一項に記載の家具製品。
【請求項８】
前記第１の蓋片部（３ａ）の高さ（ａ）は、０．５メートルよりも大きい、ことを特徴とする請求項１〜７のいずれか一項に記載の家具製品。
【請求項９】
前記第１の蓋片部（３ａ）の高さ（ａ）は、前記家具本体（２）の深さ（ｅ）よりも大きい、ことを特徴とする請求項１〜８のいずれか一項に記載の家具製品。
【請求項１０】
前記第１の蓋片部（３ａ）は、関節連結式レバー（４）を介して前記家具本体（２）に連結されている、ことを特徴とする請求項１〜９のいずれか一項に記載の家具製品。
【請求項１１】
前記第１の蓋片部（３ａ）及び第２の蓋片部（３ｂ）、並びに／又は、前記第２の蓋片部（３ｂ）及び第３の蓋片部（３ｃ）は、ヒンジ（５）によって互いに連結されている、ことを特徴とする請求項１〜１０のいずれか一項に記載の家具製品。
【請求項１２】
前記蓋片部（３ａ，３ｂ，３ｃ）のうちの少なくとも一つが、作動装置（６）によって移動可能である、ことを特徴とする請求項１〜１１のいずれか一項に記載の家具製品。
【請求項１３】
前記作動装置（６）は少なくとも２本のガイド経路（７）を含んでおり、当該作動装置（６）によって移動可能である蓋片部（３ｃ）が前記ガイド経路（７）に連結されている、ことを特徴とする請求項１２に記載の家具製品。
【請求項１４】
前記作動装置（６）によって移動可能である蓋片部（３ｃ）は、少なくとも１つのレバー（８）及びガイド装置（９）を介して、前記２本のガイド経路（７）にそれぞれ連結されている、ことを特徴とする請求項１３に記載の家具製品。
【請求項１５】
前記レバー（８）は関節連結式レバーである、ことを特徴とする請求項１４に記載の家具製品。
【請求項１６】
前記ガイド装置（９）は線形ガイドである、ことを特徴とする請求項１４又は１５に記載の家具製品。
【請求項１７】
前記ガイド経路（７）は直線状である、ことを特徴とする請求項１３〜１６のいずれか一項に記載の家具製品。
【請求項１８】
前記ガイド経路（７）は互いに対して所定角度（γ）で配置されている、ことを特徴とする請求項１７に記載の家具製品。
【請求項１９】
前記所定角度（γ）は、５°〜２０°である、ことを特徴とする請求項１８に記載の家具製品。
【請求項２０】
前記ガイド装置（９）は駆動装置（１０）によって駆動可能である、ことを特徴とする請求項１４〜１９のいずれか一項に記載の家具製品。
【請求項２１】
前記駆動装置（１０）はベルト駆動装置である、ことを特徴とする請求項２０に記載の家具製品。
【請求項２２】
前記作動装置（６）は、前記家具本体（２）の横に配置されている、ことを特徴とする請求項１２〜２１のいずれか一項に記載の家具製品。
【請求項２３】
洗浄流し台（２６）、料理用レンジの天井板（２７）、換気フード（２８）又は照明手段から選択される設備品が、折り畳み蓋（３）によって閉じられる空間内に配置されている、ことを特徴とする請求項１〜２２のいずれか一項に記載の家具製品。
【請求項２４】
引き出し（１２）及び／又は扉（１３）を備えたビルドイン型家具製品（１１）であって、
請求項１〜２３のいずれか一項に記載の家具製品（１）が一体化されていることを特徴とする、ビルドイン型家具製品。
【請求項２５】
閉じられた折り畳み蓋（３）の前面が、前記引き出し（１２）及び／又は扉（１３）の前側側面と共に一つの平面をなす、ことを特徴とする請求項２４に記載のビルドイン型家具製品。
【請求項２６】
前記引き出し（１２）及び／又は扉（１３）が前記家具製品（１）の直下に配置されている、ことを特徴とする請求項２４又は２５に記載のビルドイン型家具製品。
【請求項２７】
前記引き出し（１２）及び／又は扉（１３）が前記家具製品（１）の脇に配置されている、ことを特徴とする請求項２４〜２６のいずれか一項に記載のビルドイン型家具製品。
【発明の詳細な説明】
【技術分野】
【０００１】
本発明は、家具本体（家具カーカス、家具の枠組み）と折り畳み式の蓋(folding flap)（以下、「折り畳み蓋」という）とを有する家具製品に関するものである。
【背景技術】
【０００２】
ドア（扉）の代わりに、家具製品を閉じるために折り畳み蓋を利用することが知られている。折り畳み蓋は、共に折り畳まれるところの開状態においてほとんどスペースを取らないという点で際立っており、その結果として例えば狭い台所での自由な移動空間を増大させる。
【０００３】
ある種の領域の用途においては、特に上（向き）に移動可能な折り畳み蓋は有利になることがある。これに関連し例えば台所にある上側の食器棚に話を向けても良い。ＥＰ  １７１３９９９  Ｂ１およびＤＥ  ２０１００６６２  Ｕ１は、そのような上（向き）に移動可能な折り畳み蓋を開示する。その点に関して特徴的なことは、従来技術の一部であるそれらの折り畳み蓋は、二つの蓋片部を備えることである。
【０００４】
但し、それらの折り畳み蓋は、所与の寸法、あるいは例えば台所の全領域さえも超える家具製品をカバーするには適さないという不利（欠点）がある。それは特に、二つの蓋片部がそれらの状況下では大変嵩高く、そして、折り畳み一体化した状況下で２枚リーフの折り畳み蓋が室内に向けてかなり突き出してしまう、ということのためである。それは、折り畳み蓋の実際上の利点に疑問を投げかけるものである。また、それとは別に、二つの蓋片部の重さが大きいために、折り畳み蓋は、かなりの力をかけることでようやく開けることができる。そのために必要とされる力は、より小型の折り畳み蓋に関して通常使用されるリフト装置によっては、もはや加えることができない（ほどである）。
【先行技術文献】
【特許文献】
【０００５】
【特許文献１】ＥＰ  １７１３９９９  Ｂ１
【特許文献２】ＤＥ  ２０１００６６２  Ｕ１
【発明の概要】
【発明が解決しようとする課題】
【０００６】
本発明の目的は、上記のような欠点を回避すること、そして、従来技術を超えて改良されて、広汎に利用することができ、特に大きな家具製品や例えば台所の全体領域をカバー（覆う）するのに適している折り畳み蓋を提供することにある。
【課題を解決するための手段】
【０００７】
本発明によれば、上記目的は次のようにして達成される。即ち、折り畳み蓋は、上下に配置された少なくとも３枚の蓋片部を有しており、第１の蓋片部は家具本体（家具カーカス）に対して旋回可能に取り付けられ、第２の蓋片部は第１の蓋片部に対して旋回可能に取り付けられ、第３の蓋片部は第２の蓋片部に対して旋回可能に取り付けられている。
【０００８】
従って、本発明の基本思想は、少なくとも３つの蓋片部を備えた折り畳み蓋を構築するというものである。
【０００９】
本発明の有利な実施形態では、折り畳み蓋が閉じられるとき、前記少なくとも３つの蓋片部の前面(front)が１枚の平面となる（即ち面一となる）。
【００１０】
完全開放状態では、家具本体に対して旋回可能に取り付けられている第１の蓋片部が、ほぼ水平に、及び／又は、家具本体の上方に配置されるという点で、３つの蓋片部の特にスペースセーブした（空間節約的な）配置が際立つ。有利には、第２の蓋片部の前面は、第１の蓋片部の前面に対して鈍角（α）をなし、第３の蓋片部の前面は、第２の蓋片部の前面に対して鋭角（β）をなす。一般に、角度の値が９０°より大きく１８０°より小さいならば、その角度は「鈍角」と呼ばれ、角度の値が０°より大きく９０°より小さいならば、その角度は「鋭角」と呼ばれる。好ましくは、角度（α）は１２５°〜１４５°の値であり、角度（β）は６０°〜７５°の値である。
【００１１】
本発明に従う折り畳み蓋は、特に大型の家具、あるいは例えばキッチン（台所）の全体領域をカバーする（覆う）ように意図されているので、折り畳み蓋の幅が１メートルより大きい、及び／又は、前記少なくとも３つの蓋片部の（各）高さが０．２５メートルよりも大きいことは、有利である。
【００１２】
折り畳み蓋の完全開放状態において第１の蓋片部が家具本体の上方に配置されるとき、第１の蓋片部が他の二つの蓋片部よりも高いならば、例えば０．５メートルよりも大きい高さであるならば、そのことは有利である。その方法で、（完全開放状態にある）折り畳み蓋の出来るだけ大きな部分が、高度にスペースセーブなやり方で「しまい込まれる」（収納される）ことは可能である。好ましい実施形態では、第１の蓋片部の高さはまた、家具本体の深さ（奥行き）よりも大きい。
【００１３】
第１の蓋片部が家具本体に対して旋回可能に取り付けられているとの特徴は、例えば、当該蓋片部が関節連結式レバー(articulated lever)を介して家具本体に連結されることによって技術的に実施されることができる。第１の蓋片部に対する第２の蓋片部の相対的な旋回性（回動性）、及び／又は、第２の蓋片部に対する第３の蓋片部の相対的な旋回性（回動性）は、それらの蓋片部がヒンジ（蝶番）によって互いに連結されることで達成可能である。
【００１４】
折り畳み蓋の開放および閉塞を簡単にするために、少なくとも一つの蓋片部、好ましくは第３の蓋片部が作動装置(actuating device)によって移動可能であることが提供され得る。その場合、残りの蓋片部は、作動装置によって移動可能である蓋片部に受動的に追従する。そのような作動装置は、例えば二つのガイド経路によって技術的に実施され得る、そこでは、作動装置によって移動可能である蓋片部は、例えばそれぞれ、レバー及びガイド装置によってガイド経路に連結される。最も単純なケースでは、ガイド経路は直線的である。それに呼応して、ガイド装置は線形ガイド(linear guide)である。仮にガイド経路が互いに対して角度（γ）で配置されているならば、その角度（γ）は５°〜２０°の値が有利であり、好ましくは約１２°である。仮に関節連結式レバーが、作動装置によって移動可能である蓋片部をガイド経路に連結するためのレバーとして使用されるならば、開放又は閉塞のプロセスの最中における二つのガイド経路に沿った二つの線形ガイドの直線的移動（変位）は、同時にまた、当該蓋片部の連続的な旋回運動（回動）を導く。
【００１５】
折り畳み蓋が非常に大きな寸法を占め、その結果として大変重くなる場合には、開放又は閉塞のプロセスは、少なくとも一つの前記ガイド装置（作動装置によって移動可能である蓋片部をガイド経路に連結するためのガイド装置であって、駆動装置によって駆動可能であるもの）によって容易に（楽に）なるであろう。なお、使用可能な前記駆動装置は、例えばベルト駆動装置(belt drive)である。
【００１６】
最も単純なケースにおいて、上述の作動装置は、家具本体の横に（側面に）配置されている。
【００１７】
設備品（類）、好ましくは、洗浄流し台(washing sink)、換気フード及び／又は照明手段が、折り畳み蓋が接近可能な空間内に配置されている。
【００１８】
折り畳み蓋を具備した本発明に従う家具製品が、ビルドイン型家具製品、特にリビングルーム壁または台所壁用のビルドイン型家具製品に一体化されていることは適切である。そのようなビルドイン型家具製品は、折り畳み蓋の例えば直下及び／又は脇に配置されているところの、例えば複数の引き出し及び／又は扉を含むことができる。審美的な観点からは、閉じられた折り畳み蓋の前面が、引き出し及び／又は扉の前側側面と共に一つの平面をなすこと（つまり面一であること）は、有利であろう。
【００１９】
本発明の更なる詳細及び利点については、以下に、図面に示された事例を介した実施形態を参照した具体的な記述により、より詳細に説明されるであろう。
【図面の簡単な説明】
【００２０】
【図１】図１は、折り畳み蓋が完全に開いた状態での、本発明に従う家具製品の好ましい一実施形態の斜視図である。
【図２】図２は、図１の好ましい実施形態の側面図である。
【図３】図３は、好ましい実施形態における作動装置を構成するコンポーネント（部品）の分解図である。
【図４ａ】図４ａ〜４ｄは、折り畳み蓋の開閉プロセスを示すための、好ましい実施形態の一連の４図を示す。
【図４ｂ】図４ａ〜４ｄは、折り畳み蓋の開閉プロセスを示すための、好ましい実施形態の一連の４図を示す。
【図４ｃ】図４ａ〜４ｄは、折り畳み蓋の開閉プロセスを示すための、好ましい実施形態の一連の４図を示す。
【図４ｄ】図４ａ〜４ｄは、折り畳み蓋の開閉プロセスを示すための、好ましい実施形態の一連の４図を示す。
【図５ａ】図５ａ及び５ｂは、本発明に従う家具製品が一体化された台所壁用のビルドイン家具の二つの斜視図であり、一方（図５ａ）では折り畳み蓋が完全開放された状態にあり、他方（図５ｂ）では折り畳み蓋が閉じられた状態にある、斜視図である。
【図５ｂ】図５ａ及び５ｂは、本発明に従う家具製品が一体化された台所壁用のビルドイン家具の二つの斜視図であり、一方（図５ａ）では折り畳み蓋が完全開放された状態にあり、他方（図５ｂ）では折り畳み蓋が閉じられた状態にある、斜視図である。
【発明を実施するための形態】
【００２１】
図１に示す好ましい実施形態においては、本発明に従う家具製品１は、家具本体（家具カーカス）２と折り畳み蓋３とを含み、その折り畳み蓋３は、上下に配置された３枚の蓋片部３ａ，３ｂ，３ｃを有している。第１の蓋片部３ａは、関節連結式レバー(articulated lever)４を介して家具カーカス２に連結されており、かくして家具カーカス２に対して旋回可能（回動可能）に取り付けられている。図面は、四本の関節連結式レバー４のうちの二本を示しており、それらを介して蓋片部３ａが家具カーカス２に連結されている。他の二本の関節連結式レバー４は、家具本体２の反対側の側壁に取り付けられている。第２の蓋片部３ｂは、二つのヒンジ（蝶番）５を介して第１の蓋片部３ａに連結されており、かくして第１の蓋片部３ａに対して旋回可能に取り付けられている。同様のやり方で、第３の蓋片部３ｃは第２の蓋片部３ｂに連結されている。第３の蓋片部３ｃは、作動装置(actuating device)６によって移動可能である。その作動装置６は、２本の直線状のガイド経路(guide path)７を含み、対応する関節連結式レバー８によって蓋片部３ｃにそれぞれ連結された線形ガイド(linear guide)９が、前記ガイド経路７上にそれぞれ配置されている。２本のガイド経路７は互いに対して角度γ（ガンマ）で配置されている。二つの線形ガイド９のうちの左（手）側のものは、ベルト駆動装置１０によって移動可能である。結果的にそのことで、蓋片部３ｃが家具本体２に沿って上向きに又は逆方向に移動可能となる。２本のガイド経路７が互いに対して角度γにあるという事実のために、蓋片部３ｃはその移動の際に同時に傾かされる。他の二つの蓋片部３ａ及び３ｂは、その並進的又は傾斜的な移動に受動的に従う（追従する）。気づくべきは、その説明された作動装置６は、家具本体２の両側に配置されていることである。但し図面は、二つの作動装置６の一方のみを示す、というのも、第２の作動装置６は家具本体２の側壁に隠されるからである。二つの作動装置６の同期（化）は、同期ロッド１４によってもたらされる。
【００２２】
図１は、完全開放状態（条件）の折り畳み蓋３を示す。この状態では、第１の蓋片部３ａは全体的に家具本体２の上方に配置される。第２の蓋片部３ｂの前面は、第１の蓋片部３ａの前面に対して鈍角αにあり、第３の蓋片部３ｃの前面は、第２の蓋片部３ｂの前面に対して鋭角βにある。好ましい実施形態では、第１の蓋片部３ａの高さ（ａ）は、家具本体２の深さ／奥行き（ｅ）よりも大きく、かくして折り畳み蓋の完全開放位置では家具本体を超えて幾分突き出ている。
【００２３】
図２は、図１に斜視図として示された好ましい実施形態の側面を示す。折り畳み蓋３は（またもや）完全に開かれている。この図からはっきりと見て取れることは、その位置では第１の蓋片部３ａが水平に配置されること、第２の蓋片部３ｂの前面が、第１の蓋片部３ａの前面に対して約１３５°の鈍角αにあること、及び、第３の蓋片部３ｃの前面が、第２の蓋片部３ｂの前面に対して約６５°の鋭角βにあることである。２本のガイド経路７は、互いに対して約１２°の角度γで配置されている。図１での説明で既に言及されたコンポーネント（部品）に加えて、次の点にも注意を向けられたし：
−  取り付け部１５及び１６、並びに、２４及び２５によって、関節連結式レバー４がそれぞれに、蓋片部３ａおよび家具本体２に取り付けられていること、
−  蓋片部３ｃにはレール１７が固定されており、そのレールの両端部が二つの関節連結式レバー８にヒンジ連結されていること、
−  固定要素１８，１９及び２３によって、作動装置６が実質的に家具本体２に取り付けられていること、
−  ワークピース（支持片）２０、二つのローラ２１、及び、エンドレスベルト２２が、ベルト駆動装置を成立させるために実質的に必要であること。
【００２４】
この場合には、ベルト２２は、左（手）側の線形ガイド９に連結されている。それ故、ベルト２２の動きは線形ガイド９の並進的な動き（直線運動）をもたらし、そのことはまた、（蓋片部３ｃに取り付けられた）連結レバー８を介して蓋片部３ｃを動かす。
【００２５】
図３は、好ましい実施形態における作動装置の技術的実現に必要な個々の部品の分解図を示す。ベルト駆動装置（左から右まで）用の駆動ユニット１０が、複数のギヤ、取り付けプレート及び電気モータを含んでいることが、はっきりと見て取れる。二つの線形ガイド９の各々は、組み立て時にガイド経路７をクリップ様の形態で抱き締める二つのマウント部品(mounting components)からなり、マウント部品に対してはそれぞれ、ガイド経路７上に線形ガイド９を出来るだけ少ない摩擦でもって移動させるための二つのホイールが取り付けられている。
【００２６】
図４ａ〜４ｄに示されるところの、好ましい実施形態の４つのイメージからなるシーケンス（手順）は、折り畳み蓋３の開閉プロセスを説明するためのものである。図４ａは、図１に示された図（又は外見）と同じ図（又は外見）を含む。従って、この図では、本質的な部品だけが参照番号を付与されている。そのことは、他の３つのイメージにも適用される。
【００２７】
図４ａに示す折り畳み蓋３の完全開放状態から始まって、図４ｂ及び図４ｃは、折り畳み蓋３の二つの中間位置を示し、図４ｄは閉じ状態にある折り畳み蓋３を示す。ベルト２２の移動が二つの線形ガイド９の直線的な移動を導き、かくして蓋片部３ｃの直進ないし傾斜運動を導くことが、はっきり見て取れる。蓋片部３ｂ及び３ａは（３ｃと共に）受動的に動かされる。三つの蓋片部３ａ，３ｂ及び３ｃの高さは、（全ての図面を代表する）図４ｄにそれぞれａ，ｂ，ｃで表示されている。折り畳み蓋３の幅は「ｄ」で示され、家具本体２の深さ（奥行き）は「ｅ」で示されている。そこからわかるように、二つの蓋片部３ｂ及び３ｃの高さｂ及びｃは同じである。第１の蓋片部３ａは、他の二つの蓋片部３ｂ及び３ｃの約２倍の大きさであり、同時に、家具本体２の深さｅよりも大きい。好ましい実施形態での絶対値は、ｂ＝ｃ＝０．３５ｍ；ａ＝０．７ｍ；ｄ＝１．７ｍ；ｅ＝０．５ｍである。
【００２８】
図５ａ及び図５ｂは、本発明に従う家具製品１が一体化されてなるところの、台所壁用のビルドイン家具１１の二つの斜視図を示す。この場合、図５ａは完全開放状態にある折り畳み蓋３を示し、他方、図５ｂでは折り畳み蓋３は閉じられている。ビルドイン家具１１は、本発明の家具製品１に加えて、４枚の食器棚用扉１３を含み、そのうちの２枚は折り畳み蓋３の右に配置され、残りの２枚は左に配置されている。ビルドイン家具１１はまた、折り畳み蓋３の直下に配置された複数の引き出し１２を含む。本明細書の冒頭部で既に述べたように、折り畳み蓋３はキッチンの全領域をカバーすべく（覆うべく）用いられることができる。その領域は例えば、洗浄流し台２６、ホブ(hob)（料理用レンジの天井板）２７、あるいは換気フード２８を含む。本発明の家具製品１内に、例えば追加の棚を配置することもできる。
【符号の説明】
【００２９】
１…家具製品
２…家具本体（家具カーカス、家具枠組み）
３…折り畳み式の蓋（折り畳み蓋）
１１…ビルドイン型家具製品
【図１】
0005841236.tif 000002
【図２】
0005841236.tif 000003
【図３】
0005841236.tif 000004
【図４ａ】
0005841236.tif 000005
【図４ｂ】
0005841236.tif 000006
【図４ｃ】
0005841236.tif 000007
【図４ｄ】
0005841236.tif 000008
【図５ａ】
0005841236.tif 000009
【図５ｂ】
0005841236.tif 000010